(57)【要約】【課題】この発明は、入力映像信号がＣＧ映像か自然映像かを判別して色補正処理の補正量を切り替えることにより、ＣＧ映像及び自然映像のいずれに対しても適切な色成分をもった映像を表示することを可能とした表示装置及びその制御方法を提供することを目的としている。【解決手段】入力映像信号がＣＧ映像か自然映像かを判別する判別手段（２０ａ，２４）と、ＣＧ映像であると判断されたとき入力映像信号にＣＧ映像用の色補正処理を施し、自然映像であると判断されたとき入力映像信号に自然映像用の色補正処理を施す色補正手段（２０ｂ）とを備える。【選択図】    図２
2010152366.tif 000002
【特許請求の範囲】
【請求項１】
映像信号が入力される入力手段と、
前記入力手段に入力された映像信号の輝度ヒストグラムデータについて、画素数が第１のしきい値以下である輝度レベルの数が第２のしきい値以上あるときＣＧ映像であると判断し、前記入力手段に入力された映像信号の輝度ヒストグラムデータについて、隣接する輝度レベル間における画素数の差が第３のしきい値以下である輝度レベルの数が第４のしきい値以上あるとき自然映像であると判断する判別手段と、
前記判別手段によりＣＧ映像であると判断された場合、前記入力手段に入力された映像信号に対してＣＧ映像用の色補正処理を施し、前記判別手段により自然映像であると判断された場合、前記入力手段に入力された映像信号に対して自然映像用の色補正処理を施す色補正手段と、
前記色補正手段により色補正処理の施された映像信号に基づいて光学像を生成し、投射レンズを介してスクリーン上に投射して映像表示する投射手段とを具備することを特徴とする表示装置。
【請求項２】
前記色補正手段は、
前記判別手段によりＣＧ映像であると判断された場合、前記入力手段に入力された映像信号に対して予め設定された所定の第１の補正量での色補正処理を施し、
前記判別手段により自然映像であると判断された場合、前記入力手段に入力された映像信号に対して、前記第１の補正量よりも低い予め設定された所定の第２の補正量での色補正処理を施すことを特徴とする請求項１記載の表示装置。
【請求項３】
前記色補正手段は、前記判別手段によりＣＧ映像及び自然映像のいずれでもないと判断された場合、前記入力手段に入力された映像信号に対して、前記第１の補正量と第２の補正量との中間の第３の補正量での色補正処理を施すことを特徴とする請求項２記載の表示装置。
【請求項４】
前記投射手段は、白セグメントを含むカラーホイルを備えたＤＬＰ方式で映像の投影を行なうことを特徴とする請求項１記載の表示装置。
【請求項５】
前記判別手段によりＣＧ映像であると判断された場合、前記入力手段に入力された映像信号に対してＣＧ映像用の輝度補正処理を施し、前記判別手段により自然映像であると判断された場合、前記入力手段に入力された映像信号に対して自然映像用の輝度補正処理を施す輝度補正手段を具備し、
前記投射手段は、前記色補正手段及び前記輝度補正手段により色補正処理及び輝度補正処理の施された映像信号に基づいて光学像を生成し、投射レンズを介してスクリーン上に投射して映像表示することを特徴とする請求項１記載の表示装置。
【請求項６】
前記輝度補正手段は、
前記判別手段によりＣＧ映像であると判断された場合、前記入力手段に入力された映像信号に対して所定の輝度補正処理を施し、
前記判別手段により自然映像であると判断された場合、前記入力手段に入力された映像信号に対して、前記所定の輝度補正処理よりも輝度を高めるような輝度補正処理を施すことを特徴とする請求項５記載の表示装置。
【請求項７】
映像信号が入力される入力手段と、
前記入力手段に入力された映像信号の輝度ヒストグラムデータについて、画素数が第１のしきい値以下である輝度レベルの数が第２のしきい値以上あるときＣＧ映像であると判断し、前記入力手段に入力された映像信号の輝度ヒストグラムデータについて、隣接する輝度レベル間における画素数の差が第３のしきい値以下である輝度レベルの数が第４のしきい値以上あるとき自然映像であると判断する判別手段と、
前記判別手段によりＣＧ映像であると判断された場合、前記入力手段に入力された映像信号に対してＣＧ映像用の色補正処理を施し、前記判別手段により自然映像であると判断された場合、前記入力手段に入力された映像信号に対して自然映像用の色補正処理を施す色補正手段とを具備することを特徴とする表示装置。
【請求項８】
前記色補正手段は、
前記判別手段によりＣＧ映像であると判断された場合、前記入力手段に入力された映像信号に対して予め設定された所定の第１の補正量での色補正処理を施し、
前記判別手段により自然映像であると判断された場合、前記入力手段に入力された映像信号に対して、前記第１の補正量よりも低い予め設定された所定の第２の補正量での色補正処理を施すことを特徴とする請求項７記載の表示装置。
【請求項９】
前記色補正手段は、前記判別手段によりＣＧ映像及び自然映像のいずれでもないと判断された場合、前記入力手段に入力された映像信号に対して、前記第１の補正量と第２の補正量との中間の第３の補正量での色補正処理を施すことを特徴とする請求項８記載の表示装置。
【請求項１０】
前記判別手段によりＣＧ映像であると判断された場合、前記入力手段に入力された映像信号に対してＣＧ映像用の輝度補正処理を施し、前記判別手段により自然映像であると判断された場合、前記入力手段に入力された映像信号に対して自然映像用の輝度補正処理を施す輝度補正手段を具備することを特徴とする請求項７記載の表示装置。
【請求項１１】
前記輝度補正手段は、
前記判別手段によりＣＧ映像であると判断された場合、前記入力手段に入力された映像信号に対して所定の輝度補正処理を施し、
前記判別手段により自然映像であると判断された場合、前記入力手段に入力された映像信号に対して、前記所定の輝度補正処理よりも輝度を高めるような輝度補正処理を施すことを特徴とする請求項１０記載の表示装置。
【請求項１２】
映像信号を入力する工程と、
入力された映像信号の輝度ヒストグラムデータについて、画素数が第１のしきい値以下である輝度レベルの数が第２のしきい値以上あるときＣＧ映像であると判断し、入力された映像信号の輝度ヒストグラムデータについて、隣接する輝度レベル間における画素数の差が第３のしきい値以下である輝度レベルの数が第４のしきい値以上あるとき自然映像であると判断する工程と、
ＣＧ映像であると判断された場合、入力された映像信号に対してＣＧ映像用の色補正処理を施し、自然映像であると判断された場合、入力された映像信号に対して自然映像用の色補正処理を施す工程と、
色補正処理の施された映像信号に基づいて光学像を生成し、投射レンズを介してスクリーン上に投射して映像表示する工程とを有することを特徴とする表示装置の制御方法。
【請求項１３】
ＣＧ映像であると判断された場合、入力された映像信号に対してＣＧ映像用の輝度補正処理を施し、自然映像であると判断された場合、入力された映像信号に対して自然映像用の輝度補正処理を施す工程を有し、
前記スクリーン上に映像表示する工程は、前記色補正処理及び前記輝度補正処理の施された映像信号に基づいて光学像を生成し、投射レンズを介してスクリーン上に投射して映像表示することを特徴とする請求項１２記載の表示装置の制御方法。
【請求項１４】
映像信号を入力する工程と、
入力された映像信号の輝度ヒストグラムデータについて、画素数が第１のしきい値以下である輝度レベルの数が第２のしきい値以上あるときＣＧ映像であると判断し、入力された映像信号の輝度ヒストグラムデータについて、隣接する輝度レベル間における画素数の差が第３のしきい値以下である輝度レベルの数が第４のしきい値以上あるとき自然映像であると判断する工程と、
ＣＧ映像であると判断された場合、入力された映像信号に対してＣＧ映像用の色補正処理を施し、自然映像であると判断された場合、入力された映像信号に対して自然映像用の色補正処理を施す工程とを有することを特徴とする表示装置の制御方法。
【請求項１５】
ＣＧ映像であると判断された場合、入力された映像信号に対してＣＧ映像用の輝度補正処理を施し、自然映像であると判断された場合、入力された映像信号に対して自然映像用の輝度補正処理を施す工程を有することを特徴とする請求項１４記載の表示装置の制御方法。
【発明の詳細な説明】
【技術分野】
【０００１】
この発明は、表示装置に関し、特にＤＬＰ（digital light processing）方式のカラープロジェクタ等に使用して好適する表示装置及びその制御方法に関する。
【背景技術】
【０００２】
周知のように、ＤＬＰ方式のカラープロジェクタは、白色光源から出射された光を、回転するカラーホイルに設けられた赤（Ｒ：red）、緑（Ｇ：green）、青（Ｂ：blue）の各色セグメントを順次透過させて、ＤＭＤ（digital micromirror device）のパネル面に照射している。
【０００３】
ＤＭＤでは、Ｒ，Ｇ，Ｂの各色セグメントを透過してパネル面に順次照射される光に同期して、Ｒ，Ｇ，Ｂ光に対応する光学像を多数のマイクロミラーの反射により形成する。そして、ＤＭＤで形成されたＲ，Ｇ，Ｂ光に対応する各光学像が、投射レンズにより拡大されてスクリーンに投影され、ここに、カラー映像表示が行なわれることになる。
【０００４】
ここで、上記のようなＤＬＰ方式のカラープロジェクタにあっては、現在、投影する映像の明るさを向上させるために、カラーホイルとして、Ｒ，Ｇ，Ｂの各色セグメントに加えて、無着色の透明な光透過部である白（Ｗ：white）セグメントを加えたものが採用されてきている。
【０００５】
このようなＷセグメントが付加されたカラーホイルを用いることにより、ＤＭＤのパネル面には、Ｒ，Ｇ，Ｂ，Ｗ光が時分割で順次照射されることになる。そして、Ｗ光の照射時に、その光をＤＭＤの全マイクロミラーで投射レンズに反射させることにより、輝度を高めることができる。
【０００６】
ところで、上記のようにＷセグメントが付加されたＤＬＰ方式のカラープロジェクタでは、例えばプレゼンテーション用やアニメーション等のようにＣＧ（computer graphics）技術を用いて作成された映像（以下、ＣＧ映像という）を投影すると、色純度の悪化や、色の彩度の悪化を避けることができなくなるという問題が生じる。
【０００７】
この問題は、色の薄い高輝度の部分の輝度が光学的に向上することから、白を背景として着色された対象物が存在するようなシーンでは、着色された対象物の色が背景の白色と強く対比して認識されるため、人間の目の性質から、逆に着色部分が黒ずんで見えてしまうことによる。つまり、白色の視覚的な影響のため、色の鮮やかさが逆に失われて感じられるからである。
【０００８】
このため、現状では、このような現象の発生に対し、色の明度や彩度を高めるような色補正処理を施す手法を採用して色の黒ずみを防ぐようにしている。しかしながら、このような色補正処理は、光源からの照射光を受けた被写体の光学像を撮影した映像（以下、自然映像という）に適用すると、色の濃すぎる不自然な映像を投影させることになる。
【０００９】
特許文献１には、プロジェクタが画像供給装置から画像を示す画像情報とその画像の種別を示す種別情報とを入力する。そして、種別情報に応じて色の調整を行なうためのカラーモードを設定し、そのカラーモードに応じて投写部によって投写される画像を調整するようにした構成が開示されている。
【先行技術文献】
【特許文献】
【００１０】
【特許文献１】特開２００８−１８５６２０号公報
【発明の概要】
【発明が解決しようとする課題】
【００１１】
そこで、この発明は上記事情を考慮してなされたもので、入力映像信号がＣＧ映像か自然映像かを判別して色補正処理の補正量を切り替えることにより、ＣＧ映像及び自然映像のいずれに対しても適切な色成分をもった映像を表示することを可能とした表示装置及びその制御方法を提供することを目的とする。
【課題を解決するための手段】
【００１２】
この発明に係る表示装置は、映像信号が入力される入力手段と、入力手段に入力された映像信号の輝度ヒストグラムデータについて、画素数が第１のしきい値以下である輝度レベルの数が第２のしきい値以上あるときＣＧ映像であると判断し、入力手段に入力された映像信号の輝度ヒストグラムデータについて、隣接する輝度レベル間における画素数の差が第３のしきい値以下である輝度レベルの数が第４のしきい値以上あるとき自然映像であると判断する判別手段と、判別手段によりＣＧ映像であると判断された場合、入力手段に入力された映像信号に対してＣＧ映像用の色補正処理を施し、判別手段により自然映像であると判断された場合、入力手段に入力された映像信号に対して自然映像用の色補正処理を施す色補正手段とを備えるようにしたものである。
【００１３】
また、この発明に係る表示装置の制御方法は、映像信号を入力する工程と、入力された映像信号の輝度ヒストグラムデータについて、画素数が第１のしきい値以下である輝度レベルの数が第２のしきい値以上あるときＣＧ映像であると判断し、入力された映像信号の輝度ヒストグラムデータについて、隣接する輝度レベル間における画素数の差が第３のしきい値以下である輝度レベルの数が第４のしきい値以上あるとき自然映像であると判断する工程と、ＣＧ映像であると判断された場合、入力された映像信号に対してＣＧ映像用の色補正処理を施し、自然映像であると判断された場合、入力された映像信号に対して自然映像用の色補正処理を施す工程とを有するようにしたものである。
【発明の効果】
【００１４】
上記した発明によれば、入力映像信号の輝度ヒストグラムデータが離散型の特性を示すか連続型の特性を示すかに応じて、入力映像信号がＣＧ映像か自然映像かを自動的に判別して、色補正処理の補正量を適切な値に切り替えるようにしたので、ＣＧ映像及び自然映像のいずれに対しても適切な色成分をもった映像を表示することが可能となる。
【図面の簡単な説明】
【００１５】
【図１】この発明の実施の形態を示すもので、ＤＬＰ方式のカラープロジェクタの外観を説明するために示す斜視図。
【図２】同実施の形態におけるカラープロジェクタの信号処理系の概略を説明するために示すブロック構成図。
【図３】同実施の形態におけるカラープロジェクタの光学エンジンを原理的に説明するために示す図。
【図４】同実施の形態におけるカラープロジェクタに入力された映像信号がＣＧ映像であるときの輝度ヒストグラムデータの一例を説明するために示す図。
【図５】同実施の形態におけるカラープロジェクタに入力された映像信号が自然映像であるときの輝度ヒストグラムデータの一例を説明するために示す図。
【図６】同実施の形態におけるカラープロジェクタでＣＧ映像と自然映像とで色補正処理の補正量を切り替えることを説明するために示す図。
【図７】同実施の形態におけるカラープロジェクタが行なう主要な処理動作の一例を説明するために示すフローチャート。
【図８】この発明の他の実施の形態を示すもので、カラープロジェクタの信号処理系の概略を説明するために示すブロック構成図。
【図９】同他の実施の形態におけるカラープロジェクタが行なう主要な処理動作の一例を説明するために示すフローチャート。
【発明を実施するための形態】
【００１６】
以下、この発明の実施の形態について図面を参照して詳細に説明する。図１は、この実施の形態で説明するＤＬＰ方式のカラープロジェクタ１１の外観を示している。このカラープロジェクタ１１は、プロジェクタ本体となる、ほぼ薄型の箱状に形成された据置タイプのキャビネット１２を有している。
【００１７】
そして、このキャビネット１２には、その前面パネル１２ａの一端部に、投射レンズ１３が配置されている。この投射レンズ１３は、キャビネット１２の前面に設置された映像投射面となる後述するスクリーンに、映像化された情報を拡大投射して表示させるためのものである。
【００１８】
また、上記キャビネット１２には、その上面パネル１２ｂの後端側中央部に、操作部１４が配置されている。この操作部１４は、後述するリモートコントローラとともに、ユーザの操作に基づいて、カラープロジェクタ１１を各種の動作状態または停止状態に制御することができる。
【００１９】
図２は、上記したカラープロジェクタ１１の信号処理系を概略的に示している。図２において、符号１５は入力端子で、カラープロジェクタ１１の外部からアナログＲＧＢ信号を入力することができる。この入力端子１５に入力されたアナログＲＧＢ信号は、Ａ／Ｄ（analog／digital）変換部１６に供給されてＲ，Ｇ，Ｂそれぞれに対応する３種類のデジタル映像信号（Ｒ信号、Ｇ信号、Ｂ信号）に変換される。
【００２０】
一方、図２において、符号１７は入力端子で、カラープロジェクタ１１の外部からアナログビデオ信号を入力することができる。この入力端子１７に入力されたアナログビデオ信号は、ビデオデコーダ１８に供給されてデジタルの輝度信号Ｙと色信号Ｃｂ／Ｃｒとに変換される。
【００２１】
その後、上記Ａ／Ｄ変換部１６から出力されるデジタルＲ，Ｇ，Ｂ信号と、上記ビデオデコーダ１８から出力されるデジタルの輝度信号Ｙ及び色信号Ｃｂ／Ｃｒとは、スケーラ１９に供給される。このスケーラ１９は、ビデオデコーダ１８から供給されたデジタルの輝度信号Ｙ及び色信号Ｃｂ／Ｃｒを、Ｒ，Ｇ，Ｂそれぞれに対応する３種類のデジタル映像信号（Ｒ信号、Ｇ信号、Ｂ信号）に変換する。
【００２２】
そして、上記スケーラ１９は、Ａ／Ｄ変換部１６から供給されたデジタルＲ，Ｇ，Ｂ信号と、デジタルの輝度信号Ｙ及び色信号Ｃｂ／Ｃｒを変換したデジタルＲ，Ｇ，Ｂ信号とに対して、選択的にスケーリング処理を施している。このスケーリング処理は、入力されたデジタルＲ，Ｇ，Ｂ信号を後段のＤＭＤパネル２２ａの解像度（画素数）に合わせるように変換するもので、入力されたデジタルＲ，Ｇ，Ｂ信号の解像度とＤＭＤパネル２２ａの解像度との整合をとっている。つまり、入力されたデジタルＲ，Ｇ，Ｂ信号の画素数を調整して、ＤＭＤパネル２２ａの複数のマイクロミラー（複数の画素）に適応させるようにしている。
【００２３】
その後、スケーラ１９でスケーリング処理が施されたデジタルＲ，Ｇ，Ｂ信号は、色補正回路２０に供給される。この色補正回路２０は、入力されたデジタルＲ，Ｇ，Ｂ信号をデジタルの輝度信号Ｙ及び色信号Ｃｂ／Ｃｒに変換し、デジタルの輝度信号Ｙを輝度分布ヒストグラム計測回路２０ａに供給し、デジタルの色信号Ｃｂ／Ｃｒを彩度補正回路２０ｂに供給している。
【００２４】
このうち、輝度分布ヒストグラム計測回路２０ａは、入力された１フレーム分の輝度信号Ｙに対して、各輝度レベルのヒストグラムデータ（画素数）を取得している。この場合、予め設定された分解能に対応する複数の各輝度レベル（例えば０〜２５５）に対して、それぞれ対応している画素の数が取得されている。このため、各輝度レベルにおける画素数を全て加算した合計は、入力輝度信号Ｙが持つ１フレーム分の画素数と同じになる。
【００２５】
また、上記彩度補正回路２０ｂは、後述する制御部２４が輝度分布ヒストグラム計測回路２０ａによる輝度ヒストグラムデータの計測結果に基づいて、入力映像信号がＣＧ映像であるか自然映像であるかを判別するので、その判別結果に基づいて、入力された色信号Ｃｂ／Ｃｒに彩度補正処理を施す際の補正量を切り替えている。
【００２６】
すなわち、上記彩度補正回路２０ｂは、入力映像信号がＣＧ映像であると判断された場合、入力された色信号Ｃｂ／Ｃｒに対して、投射表示される色が黒ずみなく鮮やかに見えるようにするため、色の彩度を高めるように補正量を増加させた彩度補正処理を施すように動作する。
【００２７】
また、上記彩度補正回路２０ｂは、入力映像信号が自然映像であると判断された場合、入力された色信号Ｃｂ／Ｃｒに対して、補正量の低い彩度補正処理を施すか、むしろほとんど彩度補正処理を施さないように動作して、投射表示される色が濃すぎて不自然にならないようにしている。
【００２８】
そして、上記色補正回路２０でデジタルＲ，Ｇ，Ｂ信号から変換したデジタルの輝度信号Ｙと、彩度補正処理が施された色信号Ｃｂ／Ｃｒとは、デジタルＲ，Ｇ，Ｂ信号に変換されてＤＭＤ制御回路２１に供給される。このＤＭＤ制御回路２１は、入力されたデジタルＲ，Ｇ，Ｂ信号からデジタルＷ（white）信号を生成している。そして、このＤＭＤ制御回路２１は、入力されたデジタルＲ，Ｇ，Ｂ信号と生成したデジタルＷ信号とを、光学エンジン２２を構成するＤＭＤパネル２２ａに時分割で供給している。
【００２９】
この光学エンジン２２は、図３に原理的に示すように、ＤＭＤパネル２２ａ、光源となるランプ２２ｂ、Ｗセグメント付きカラーホイル２２ｃ及び上記投射レンズ１３等を、主要な構成要素としている。そして、ランプ２２ｂから照射された光は、カラーホイル２２ｃを透過して、ＤＭＤパネル２２ａのマイクロミラーアレイ面に照射される。この場合、カラーホイル２２ｃは、その回転軸の回りにＲ，Ｇ，Ｂ，Ｗの各セグメントを配置しており、図示しないモータによって、ランプ２２ｂから照射された光が各セグメントを順次透過してＤＭＤパネル２２ａに照射されるように回転駆動されている。
【００３０】
また、ＤＭＤパネル２２ａは、入力されるデジタルＲ，Ｇ，Ｂ，Ｗ信号に応じて各マイクロミラーの反射方向が時分割で切り替えられ、入射光を投射レンズ１３の方向に着色映像光として反射している。そして、カラーホイル２２ｃは、ＤＭＤパネル２２ａがデジタルＲ，Ｇ，Ｂ，Ｗ信号に対応して駆動されるのに同期して、Ｒ，Ｇ，Ｂ，Ｗセグメントを透過した着色光がＤＭＤパネル２２ａに時分割で照射されるように、回転が対応付けられている。これにより、ＤＭＤパネル２２ａで形成された各色成分Ｒ，Ｇ，Ｂ，Ｗに対応する光学像が、投射レンズ１３により拡大されてスクリーン２３に投影され、ここに、カラー映像表示が行なわれることになる。
【００３１】
ここで、上記したカラープロジェクタ１１の映像表示動作は、上記制御部２４によって統括的に制御されている。この制御部２４は、例えばＣＰＵ（central processing unit）２４ａを内蔵しており、上記操作部１４から得られる操作情報、または、上記リモートコントローラ２５から送信され受信部２６で受信した操作情報に基づいて、その操作内容が反映されるように各部をそれぞれ制御している。
【００３２】
この場合、制御部２４は、メモリ部２４ｂを利用している。このメモリ部２４ｂは、主として、そのＣＰＵ２４ａが実行する制御プログラムを格納したＲＯＭ（read only memory）と、該ＣＰＵ２４ａに作業エリアを提供するためのＲＡＭ（random access memory）と、各種の設定情報及び制御情報等が格納される不揮発性メモリとを有している。
【００３３】
次に、上記色補正回路２０の輝度分布ヒストグラム計測回路２０ａで計測される輝度ヒストグラムデータと、彩度補正回路２０ｂが行なう彩度補正処理とについて説明する。まず、輝度ヒストグラムデータは、図４及び図５に示すように、１フレーム分の輝度信号Ｙに対して、各輝度レベルに対するヒストグラムデータ（画素数）を取得したものである。この場合、図４は、入力映像信号がＣＧ映像であるときの輝度ヒストグラムデータの一例を示し、図５は、入力映像信号が自然映像であるときの輝度ヒストグラムデータの一例を示している。
【００３４】
すなわち、ＣＧ映像は、光源からの照射光を受けた被写体の光学像を撮影した自然映像に比べて、着色部分と無着色部分とが明確に分かれている。このため、ＣＧ映像の輝度ヒストグラムデータとしては、図４に示すように、ある程度の輝度レベルを有する画素と輝度レベルがほとんど０に等しい画素とに明確に分かれた、いわゆる離散型の特性を示すようになる。
【００３５】
これに対し、光源からの照射光を受けた被写体の光学像を撮影した自然映像は、光の照射される側とその反対側との間において、徐々に輝度レベルが変化している。このため、自然映像の輝度ヒストグラムデータとしては、図５に示すように、全ての輝度レベルに対して画素が存在し、隣接する輝度レベル間における画素数の差が非常に少ない、いわゆる連続型の特性を示すようになる。
【００３６】
したがって、上記制御部２４は、輝度ヒストグラムデータが離散型の特性を示しているか、連続型の特性を示しているかを判別し、離散型であるときＣＧ映像であると判断し、連続型であるとき自然映像であると判断する。
【００３７】
この判別に際し、制御部２４は、まず、輝度ヒストグラムデータが離散型の特性を示しているか否かを判別する。この場合、制御部２４は、図４に示すように、画素数が予め設定された第１のしきい値Ａ以下である輝度レベルの数（図４では、ａ＋ｂ＋ｃ＋ｄ＋ｅ＋ｆ）をカウントし、そのカウント値が予め設定された第２のしきい値Ｘ以上ある場合に、輝度ヒストグラムデータが離散型の特性を有すると判断している。
【００３８】
そして、制御部２４が、輝度ヒストグラムデータが離散型の特性を有すると判断した場合、彩度補正回路２０ｂは、入力された色信号Ｃｂ／Ｃｒに対して、色の彩度を高めるように補正量を増加させた彩度補正処理を施すように動作する。この場合、彩度補正回路２０ｂは、入力された色信号Ｃｂ／Ｃｒに対して、図６に実線で示すように、予め設定されたゲイン特性（第１の補正量）でレベルを増加させるようにしている。
【００３９】
このような色信号Ｃｂ／Ｃｒに対する彩度補正処理は、Ｒ，Ｇ，Ｂの他にシアン、マゼンダ、黄の合計６色について行なわれる。ただし、各色に対するゲイン特性は、ＣＧ映像の色の明度や彩度を高めて、総合的に着色部分の黒ずみを防ぐことができるような特性にそれぞれ設定される。
【００４０】
また、制御部２４は、輝度ヒストグラムデータが離散型の特性を有するものでないと判断した場合、輝度ヒストグラムデータが連続型の特性を示しているか否かを判別する。この場合、制御部２４は、図５に示すように、隣接する輝度レベル間における画素数の差が予め設定された第３のしきい値Ｂ以下である輝度レベルの数をカウントし、そのカウント値が予め設定された第４のしきい値Ｙ以上ある場合に、輝度ヒストグラムデータが連続型の特性を有すると判断している。
【００４１】
そして、制御部２４が、輝度ヒストグラムデータが連続型の特性を有すると判断した場合、彩度補正回路２０ｂは、入力された色信号Ｃｂ／Ｃｒに対して、上記第１の補正量よりも低い第２の補正量で、または、ほとんど彩度補正処理を施さないようにして、投射表示される色が濃すぎて不自然にならないようにしている。この場合、彩度補正回路２０ｂは、入力された色信号Ｃｂ／Ｃｒに対して、図６に点線で示すように、入力レベル：出力レベルがほぼ１：１のゲイン特性（第２の補正量）となるようにしている。
【００４２】
図７は、上記した色補正回路２０の主要な処理動作をまとめたフローチャートを示している。すなわち、例えば約１秒毎の時間割り込みによって処理が開始（ステップＳ１）されると、制御部２４は、ステップＳ２で、輝度分布ヒストグラム計測回路２０ａに、入力された１フレーム分の輝度信号Ｙから輝度ヒストグラムデータを計測させる。
【００４３】
その後、制御部２４は、ステップＳ３で、計測された輝度ヒストグラムデータから、第１のしきい値Ａ以下である輝度レベルの数が第２のしきい値Ｘ以上存在するか否かを判別し、存在すると判断した場合（ＹＥＳ）、ステップＳ４で、彩度補正回路２０ｂをＣＧ映像用に増加させた第１の補正量で彩度補正処理を施すように切り替えて、処理を終了（ステップＳ８）する。
【００４４】
また、上記ステップＳ３で第１のしきい値Ａ以下である輝度レベルの数が第２のしきい値Ｘ以上存在しないと判断した場合（ＮＯ）、制御部２４は、ステップＳ５で、計測された輝度ヒストグラムデータから、隣接する輝度レベル間の画素数の差が第３のしきい値Ｂ以下である輝度レベルの数が第４のしきい値Ｙ以上存在するか否かを判別し、存在すると判断した場合（ＹＥＳ）、ステップＳ６で、彩度補正回路２０ｂを自然映像用にほとんど彩度補正処理を施さない第２の補正量に切り替えて、処理を終了（ステップＳ８）する。
【００４５】
一方、上記ステップＳ５で隣接する輝度レベル間の画素数の差が第３のしきい値Ｂ以下である輝度レベルの数が第４のしきい値Ｙ以上存在しないと判断した場合（ＮＯ）、制御部２０は、ステップＳ７で、彩度補正回路２０ｂをＣＧ映像用と自然映像用との中間の第３の補正量で彩度補正処理を施すように切り替えて、処理を終了（ステップＳ８）する。
【００４６】
上記した実施の形態によれば、入力映像信号がＣＧ映像か自然映像かを、輝度ヒストグラムデータの特性に基づいて自動的に判別して、色補正処理の補正量を適切な値に切り替えるようにしたので、ＣＧ映像及び自然映像のいずれに対しても適切な色成分をもった映像を投射表示することが可能となる。
【００４７】
また、ＣＧ映像と自然映像とが同一画面内に混在する映像信号が入力される場合には、輝度ヒストグラムデータが離散型の特性を示している部分と連続型の特性を示している部分との割合に応じて、色補正処理の補正量を適切な値に切り替えるようにすることも可能である。さらに、上記した実施の形態では、ＤＬＰ方式のカラープロジェクタ１１について説明したが、これに限らず、この発明は、例えば液晶カラープロジェクタ等、種々のタイプのカラープロジェクタに適用可能であることは言うまでもないことである。
【００４８】
次に、図８は、この発明の他の実施の形態を示している。図８において、図２と同一部分には同一符号を付して説明すると、上記色補正回路２０でデジタルＲ，Ｇ，Ｂ信号から変換したデジタルの輝度信号Ｙと、色補正回路２０により彩度補正処理が施された色信号Ｃｂ／Ｃｒとは、輝度補正回路２７に供給されている。
【００４９】
この輝度補正回路２７は、上記制御部２４による入力映像信号がＣＧ映像であるか自然映像であるかの判別結果に基づいて、色補正回路２０から供給された輝度信号Ｙに輝度補正処理を施している。
【００５０】
すなわち、入力映像信号がＣＧ映像であると判断された場合には、色補正回路２０により、色信号Ｃｂ／Ｃｒに対して色の彩度を高めるように補正量を増加させた彩度補正処理が施されている。このため、輝度補正回路２７では、入力された輝度信号Ｙに対して、輝度が抑え気味となるか、むしろほとんど輝度補正を施さないように制御する。
【００５１】
一方、入力映像信号が自然映像であると判断された場合には、色補正回路２０により、色信号Ｃｂ／Ｃｒに対して補正量の低い彩度補正処理を施すか、むしろほとんど彩度補正処理を施さないようにして、投射表示される色が濃すぎて不自然にならないように制御されている。この場合、本来の輝度と彩度とのバランスが崩れてしまうので、輝度補正回路２７では、入力された輝度信号Ｙに対して、輝度を高めるように輝度補正処理を施すように制御する。これにより、輝度と色のバランスが整った本来の映像が投射表示されるようになる。
【００５２】
そして、この輝度補正回路２７で輝度補正処理が施された輝度信号Ｙと、色補正回路２０により彩度補正処理が施された色信号Ｃｂ／Ｃｒとは、デジタルＲ，Ｇ，Ｂ信号に変換されて上記ＤＭＤ制御回路２１に供給され、映像の投射表示に供される。
【００５３】
図９は、上記輝度補正回路２７を備えたカラープロジェクタ１１の主要な処理動作をまとめたフローチャートを示している。図９において、図７と同一ステップには同一符号を付して説明すると、上記制御部２４は、ステップＳ４で彩度補正回路２０ｂをＣＧ映像用に増加させた第１の補正量で彩度補正処理を施すように切り替えた後、ステップＳ９で、輝度補正回路２７を輝度が抑え気味となるか、または、ほとんど輝度補正を施さない、ＣＧ映像用の輝度補正処理状態に切り替えて、処理を終了（ステップＳ８）する。
【００５４】
また、上記制御部２４は、ステップＳ６で彩度補正回路２０ｂを自然映像用にほとんど彩度補正処理を施さない第２の補正量に切り替えた後、ステップＳ１０で、輝度補正回路２７に対して輝度を高めるような、自然映像用の輝度補正処理状態に切り替えて、処理を終了（ステップＳ８）する。
【００５５】
さらに、上記制御部２４は、ステップＳ７で彩度補正回路２０ｂをＣＧ映像用と自然映像用との中間の第３の補正量で彩度補正処理を施すように切り替えた後、ステップＳ１１で、輝度補正回路２７をＣＧ映像時と自然映像時との中間の輝度補正処理状態に切り替えて、処理を終了（ステップＳ８）する。
【００５６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５７】
１１…カラープロジェクタ、１２…キャビネット、１２ａ…前面パネル、１２ｂ…上面パネル、１３…投射レンズ、１４…操作部、１５…入力端子、１６…Ａ／Ｄ変換部、１７…入力端子、１８…ビデオデコーダ、１９…スケーラ、２０…色補正回路、２０ａ…輝度分布ヒストグラム計測回路、２０ｂ…彩度補正回路、２１…ＤＭＤ制御回路、２２…光学エンジン、２２ａ…ＤＭＤパネル、２２ｂ…ランプ、２２ｃ…Ｗセグメント付きカラーホイル、２３…スクリーン、２４…制御部、２４ａ…ＣＰＵ、２４ｂ…メモリ部、２５…リモートコントローラ、２６…受信部、２７…輝度補正回路。
【図１】
2010152366.tif 000003
【図２】
2010152366.tif 000004
【図３】
2010152366.tif 000005
【図４】
2010152366.tif 000006
【図５】
2010152366.tif 000007
【図６】
2010152366.tif 000008
【図７】
2010152366.tif 000009
【図８】
2010152366.tif 000010
【図９】
2010152366.tif 000011